(57)【要約】【課題】２枚以上貼り合せて重層した飛翔害虫捕殺具において、できるだけ手も汚さずに引き剥がすことが可能な捕殺具を提供すること。【解決手段】２枚以上の基材が各基材間に粘着剤が塗布された状態で重層されており、粘着剤が付着した基材を１枚ずつはがして使用される飛翔害虫捕殺具において、前記各基材には、該基材の外縁に幅５ｍｍ以下の余白部が設けられ、かつ、少なくとも１箇所に取りしろが設けられており、粘着剤が該余白部および取りしろを避けて塗布されていることを特徴とする、飛翔害虫捕殺具。【選択図】図１
2009195118.tif 000002
【特許請求の範囲】
【請求項１】
２枚以上の基材が各基材間に粘着剤が塗布された状態で重層されており、粘着剤が付着した基材を１枚ずつはがして使用される飛翔害虫捕殺具において、
前記各基材には、該基材の外縁に幅５ｍｍ以下の余白部が設けられ、かつ、少なくとも１箇所に取りしろが設けられており、粘着剤が該余白部および取りしろを避けて塗布されていることを特徴とする、飛翔害虫捕殺具。
【請求項２】
前記各基材には、さらに、前記飛翔害虫捕殺具を取り付けるための取り付け部が設けられ、粘着剤は、前記余白部、取りしろ、ならびに、該取り付け部およびその周囲、を避けて塗布されていることを特徴とする、請求項１記載の飛翔害虫捕殺具。
【請求項３】
前記基材が０．１ｍｍ以上の厚みであることを特徴とする、請求項１または２に記載の飛翔害虫捕殺具。
【発明の詳細な説明】
【技術分野】
【０００１】
本発明は飛翔害虫を効果的に捕殺することができる捕殺具に関し、特に、２枚以上貼り合せて重層した飛翔害虫捕殺具において、できるだけ手も汚さずに引き剥がすことが可能な捕殺具を提供することにある。本発明の飛翔害虫捕殺具は、農林園芸用、家庭用、工場用、畜産用に広く展開しうるものである。
【背景技術】
【０００２】
一般的に農林園芸において、病害虫の防除にあたっては、化学農薬を使用する場合が多い。しかしながら、化学農薬を使用する場合は病害虫ばかりでなく人畜等の他の生物にも害を与える場合がある。近年、これらの化学薬剤の人畜に及ぼす影響あるいは環境汚染等が問題視されてきている。また、作業者自身の健康に対して悪影響を与える可能性があるといった欠点もある。そこで、環境保全、食への安全性の高まり、有機栽培の生産需要の高まりなどの理由で、化学農薬の使用を減らし、生物的防除、耕種的防除や、物理的防除による総合防除管理が実施されるようになってきている。
【０００３】
そのうち物理的防除法においては、光による色の波長を利用する粘着トラップ板が多用されるようになってきている。また、ハエ捕り用としても粘着捕獲シートが利用されている。
従来の光による色の波長を利用する粘着トラップ板（約10cm幅×約25cm長）では、当初は10アール当たり５枚程度が使用されていたが、近年は大量捕獲を目的として10アール当たり害虫の発生量に応じて300〜1200枚が使用されるようになり、紙類やプラスチック板、あるいは、プラスチックフィルムなどの粘着捕獲シートが、現場に張りめぐられた紐やワイヤーに洗濯鋏等で吊るして使用される。当該粘着捕獲シートの使用量が多いことから、1枚1枚別々に粘着捕獲シートを用いるのではなくて、重層された粘着捕獲シートを現場で剥がしながら取り付けるようになってきている。
【０００４】
しかし、従来のシート（非特許文献１）では、粘着剤が基材の横部からはみ出しており、その運搬および重層シートの引き剥がし時に粘着剤で手を汚してしまい、場合によっては作業着にも粘着剤を付着させてしまい、煩わしいものであった。また、粘着剤の塗布量が多いと粘着剤がたれて作物に付着するという問題もあった。一方で、粘着剤の塗布量が少ないと害虫が十分捕獲できないという問題もあった。
そこで、こうした問題を回避する手段が求められていた。
【非特許文献１】バイオコントロール  vol10. No.2 ,p12-16(2006)
【発明の開示】
【発明が解決しようとする課題】
【０００５】
本発明の課題は、２枚以上貼り合せて重層した飛翔害虫捕殺具において、できるだけ手も汚さずに引き剥がすことが可能な捕殺具を提供することにある。
【課題を解決するための手段】
【０００６】
上記課題を解決するために、本発明は、２枚以上の基材が各基材間に粘着剤が塗布された状態で重層されており、粘着剤が付着した基材を１枚ずつはがして使用される飛翔害虫捕殺具において、前記各基材には、該基材の外縁に幅５ｍｍ以下の余白部が設けられ、かつ、少なくとも１箇所に取りしろが設けられており、粘着剤が該余白部および取りしろを避けて塗布されていることを特徴とする、飛翔害虫捕殺具を提供する。
【０００７】
ここで、「基材」としては平板状の基材が好ましく、フィルム、シート、板等が用いられ
る。材質はポリスチレン、ポリプロピレン、プラスチック、アクリル等が用いられる。また、要求性状にあうものであれば、紙類、不織布でも良い。
【０００８】
「粘着剤」とは、害虫を捕獲できる程度の粘着力があればよく、アクリル系粘着剤やゴム系粘着剤など種々の粘着剤を用いることができ、また、害虫を効率よくトラップするために前記粘着剤中に害虫誘引剤を配合させておくことが好ましい。あるいは、害虫を誘引するために基材に色を付けておいてもよい。
【０００９】
本発明の捕殺具は、「基材」の上に「粘着剤」を塗布し、さらにその上に「基材」を載せ、これを所望量の基材について繰り返すことによって作製することができる。使用する粘着剤の種類、性状や、基材の種類、性状、密度、大きさによっても異なるが、重層させて最終製品とするときには粘着剤が基材の外側にはみ出さないようにする必要がある。重層直後の時点では粘着剤が基材の外側にはみ出ていなくても、基材の自重や粘着剤の増ちょう度により、時間の経過に伴いはみ出てこないようにする必要がある。
したがって、粘着剤の基材からの漏れによる作業性の問題から、基材の外縁に幅5mm以下の余白を設ける。好ましくは1mm以下、より好ましくは0.1mm以下、さらに好ましくは0.05mm以下、特に好ましくは0.01mm以下の幅の余白を設けることがよい。可能な限り粘着剤を基板の外縁ぎりぎりの範囲に塗布しても、作業時に手を汚さないことに本発明の意義がある。このように、基材の外縁に幅5mm以下の余白を設けて粘着剤を塗布するためには、例えば、基材の目的の位置に塗布するために必要な粘着剤の量を計算し、目的の位置にその量が塗布されるようにコントロールする。そのための塗布装置としては特に制限されないが、上記のように塗布量をコントロールできる装置を用いることが好ましい。
【００１０】
基材には少なくとも１箇所の取りしろが設けられている。取りしろを設けることにより、作業者はこの部分を指で持って捕殺具を一枚ずつはがし、紐やワイヤーなどの取り付け部材に取り付けたり、取り外したりすることが容易にできる。取りしろにも粘着剤が塗られないようにする。取りしろは基材の外周に設けられることが好ましく、多角形の基材を使用するときはいずれかの角に設けられることが好ましい。なお、取りしろは複数箇所、例えば、各角ごとに備えていてもよい。
【００１１】
前記各基材には、前記飛翔害虫捕殺具を紐やワイヤーなどの取り付け部材に取り付けるための取り付け部が設けられ、該取り付け部とその周囲にも粘着剤が塗布されていないことが好ましい。取り付け部の周囲5mm以下、好ましくは周囲1mm以下、より好ましくは周囲0.1mm以下、さらに好ましくは0.05mm以下、特に好ましくは0.01mm以下に粘着剤が塗布されていないことが望ましい。取り付け部を設けることにより、紐やワイヤーなどに簡単に取り付けることができる。取り付け部は、貫通孔や、曲線状の切れ目などの形状が挙げられる。取り付け部とその周囲に粘着剤が塗布されないことで、基材を重ねても粘着剤が貫通孔や切れ目を通して外側に漏れないという利点がある。なお、取り付け部は飛翔害虫捕殺具の上部に設けることが好ましい。ここで、上部とは、捕殺具を地面に垂直方向に取り付けたときに上にくる部分を言う。
【００１２】
基材は０．１ｍｍ以上の厚みであることが好ましい。基材厚みを０．１ｍｍ以上にすることにより、持ちやすく、取り付け等の作業をしやすくすることができる。基材厚みは０．３ｍｍ以上にすることがより好ましい。
【００１３】
なお、本発明の捕殺具の捕殺対象となる「飛翔害虫」は特に制限されないが、広く各種農作物、樹木等に被害を与える害虫が挙げられ、カミキリムシ類、コガネムシ類、コナジラミ類、スリップス類、アブラムシ類、アザミウマ類、ハモグリバエ類、ハエ類、ウンカ類、ヨコバイ類、コナガ類等が挙げられる。
【発明の効果】
【００１４】
本発明の捕殺具により、１箇所以上の取りしろを設け、基材の外縁や取りしろを避けて粘着剤を塗布したことにより、手を汚さずに使用可能な重層式捕殺具の提供が可能となった。
【発明を実施するための最良の形態】
【００１５】
以下、図面を参照して本発明の飛翔害虫捕殺具についてより具体的に説明する。ただし、本発明の飛翔害虫捕殺具は以下の態様には限定されない。
【００１６】
図１に本発明の捕殺具１の平面図を示す。
基材１０は四角形の平板であり、上部の１つの角に取りしろ１１が設けられ、また、上部に取り付け部１３が設けられている。そして、基材の外縁に幅５ｍｍ以下の余白部１４が設けられている。そして、取りしろ１１、取り付け部１３とその周囲、および余白部１４を避けて粘着剤が塗布されている。
【００１７】
図２に、本発明の捕殺具１の、下方向から見た側面図を示す。
上記のように粘着剤が塗布された基材１０を、その粘着剤塗布面と他の基材の粘着剤非塗布面が重なるように、複数枚重ねることで本発明の捕殺具１が得られる。なお、一番上には粘着剤面がくるため、シートを付して粘着剤面を覆うことが好ましい。
本発明の捕殺具は外縁に粘着剤非塗布部があるため、重ねた時に、粘着剤がはみ出さず、取り扱いがしやすい。本発明の捕殺具は、とりしろを持って一枚ずつはがして使用することができる。また、取り付け部により、紐などに吊るしたり、引っ掛けたりすることが出来る。
【００１８】
本発明の捕殺具１は、基材１０に取り付け部１３となる穴を開け、外縁の余白部１４と、取りしろ１１と、取り付け部１３およびその周囲以外に粘着剤を塗布し、得られた基材を複数枚重ねることによって作製することができる。
【実施例】
【００１９】
以下、実施例を参照してより具体的に説明する。
以下の実施例では、ポリスチレンを素材とする基材を用いた飛翔害虫捕殺具を使用した。基材上にアクリル系粘着剤を塗布し、これを重層した。
【００２０】
実施例１
ハウス内にトマトの１０００株の苗を植栽し、地上５０ｃｍのところにワイヤーを張って、粘着剤の塗布が基板のエッジから0.05mmに抑えられ、吊るし用の円形の穴のあるプラスチック粘着板（0.3mm厚×10ｃｍ幅×25cm長で１２枚貼り合わせの重層型）からなる飛翔害虫捕殺具を、取りしろを持って剥がしながら１０株に１枚の割合で、３０分以内に設置した。その間、手や作業着に粘着剤は付着しなかった。
【００２１】
実施例２
1週間後、飛翔害虫の種類と数を調べるために、施用した１００枚のうちの１０枚を取り外し、新しいものと取り替える際、取り外しながらの設置も１０分で完了した。この時もほとんど手や作業着に粘着剤は着かなかった。
【００２２】
比較例１
粘着剤が基材の全面に塗布され、これが重層され、粘着剤がはみだし、べたついていること以外は実施例１同様の粘着板からなる飛翔害虫捕殺具に、同様に取り付けていった。粘着板の取り付け時間は、延べ1時間であった。その間、手は粘着剤が付着し、その手で触れた部分は粘着剤で汚染された。
【００２３】
比較例２
実施例２同様、１０枚を取り替えたが、取り外しながらの取り付けに２０分以上を要した。その時も手は粘着剤が付着し、その手で触れた部分は粘着剤で汚染された。
【図面の簡単な説明】
【００２４】
【図１】本発明の飛翔害虫捕殺具の模式図（平面図）。
【図２】本発明の飛翔害虫捕殺具の模式図（側面図）。
【符号の説明】
【００２５】
１：飛翔害虫捕殺具、１１：取りしろ、１２：粘着剤塗布部、１３：取り付け部、１４：余白部、１５：粘着剤層
【図１】
2009195118.tif 000003
【図２】
2009195118.tif 000004